【手続補正書】
【提出日】平成26年9月3日(2014.9.3)
【手続補正１】
【補正対象書類名】明細書
【補正対象項目名】００２０
【補正方法】変更
【補正の内容】
【００２０】
【図１】本発明の実施の形態に係る階段昇降機を示す平面図。
【図２】その側面図。
【図３】その昇降体が階段１段目にかからないことを示す拡大側面図。
【図４】本発明の実施の形態に係る昇降体を示す斜視図。
【図５】上記昇降体及びガイドレールを示す図であり、（ａ）はサイドローラの配置を示す平面図、（ｂ）は側面図、（ｃ）は正面図。
【図６】昇降体の上階側への突出量の削減を示す右側面図。
【図７】ガイドレールの傾斜角度が低い場合の昇降体を示す側面図。
【図８】ガイドレールの傾斜角度が高い場合の昇降体を示す側面図。
【図９】障害物検出板を２枚に分割した実施の形態を示す側面図。
【図１０】従来技術による階段昇降機を示す平面図。
【図１１】その側面図。
【図１２】その昇降体を示す斜視図。
【図１３】その昇降体が階段１段目にかかることを示す拡大側面図。
【手続補正２】
【補正対象書類名】明細書
【補正対象項目名】００２４
【補正方法】変更
【補正の内容】
【００２４】
上記昇降体３は、図４及び図５に示すように、フレーム１５を備えており、該フレーム１５は、板状部材からなる壁側フレーム板１５ａと、該壁側フレーム板１５ａに比して所定量下方に短い通路側フレーム板１５ｂと、を有する。上記壁側フレーム板１５ａ及び通路側フレーム板１５ｂは、その上部に所定間隔を空けて３枚の細長の連結プレート１５ｃ、その下部に幅広の下部プレート１５ｄが架設されて、互いに平行になるように連結・固定されている。上記下部プレート１５ｄの幅方向略々中央からは、上記壁側及び通路側フレーム板１５ａ，１５ｂと平行に、下方に中央フレーム板１５ｅが突設され、該中央フレーム板１５ｅは、上記下部プレート１５ｄに対して、壁側フレーム板１５ａよりは短く、通路側フレーム板１５ｂよりは長く下方に延出している。上記壁側フレーム板１５ａ、通路側フレーム板１５ｂ、及び中央フレーム板１５ｅは、下階側から上階側に向かって先細り形状で湾曲しており、通路側フレーム板１５ｂ及び中央フレーム板１５ｅの先端湾曲面は、側面視において、上記ガイドレール２の上面２ａを頂点としている（図５（ｂ）参照）。
【手続補正３】
【補正対象書類名】明細書
【補正対象項目名】００２７
【補正方法】変更
【補正の内容】
【００２７】
上記壁側フレーム板１５ａの、上記上階側及び下階側ローラ対の壁側ガイドローラ１６ａ，１７ａの前方には、サイドローラ１８ａ，１９ａの回転軸Ｄを軸支する略々断面コ字状のコ字状プレート２０ａ，２１ａが通路側に突設され、上記中央フレーム板１５ｅの、上記下階側ローラ対１７の通路側ガイドローラ１７ｂの前方には、サイドローラ１９ｂの回転軸Ｄを軸支するコ字状プレート２１ｂが壁側に突設されている。上記コ字状プレート２０ａ，２１ａ，２１ｂには、移送方向の水平面に直交するように上記回転軸Ｄを持つ３個のサイドローラ１８ａ，１９ａ，１９ｂがそれぞれ回転自在に取り付けられており、上記サイドローラ１８ａ，１９ａ，１９ｂが接触しないように、上記壁側フレーム板１５ａ，中央フレーム板１５ｅ及びコ字状プレート２０ａ，２１ａ，２１ｂの上記サイドローラ１８ａ，１９ａ，１９ｂとの隣接位置には、矩形の孔が設けられている。
【手続補正４】
【補正対象書類名】明細書
【補正対象項目名】００２８
【補正方法】変更
【補正の内容】
【００２８】
上記ガイドレール２は、直線形状の型材からなり、階段Ｓの傾斜角に沿って側壁Ｗ側に施設されており、壁側及び通路側に長手方向全長に亘ってガイド面２２，２３が形成されている。該ガイド面２２，２３は、外方が開放した断面コ字形状からなり、通路側ガイド面２３は、壁側ガイド面２２に対して上記所定量Ａ上方に配置されている。なお、上記通路側ガイド面２３は、断面コ字形状ではなく、外方及び上方が開放した断面Ｌ字形状としてもよい。
【手続補正５】
【補正対象書類名】明細書
【補正対象項目名】００２９
【補正方法】変更
【補正の内容】
【００２９】
上記ガイドレール２は、上記壁側フレーム板１５ａ，中央フレーム板１５ｅ，下部プレート１５ｄによって囲まれて、上記壁側ガイド面２２には上記壁側ガイドローラ１６ａ，１７ａが、上記通路側ガイド面２３には上記通路側ガイドローラ１６ｂ，１７ｂが、それぞれ嵌入される。上記壁側ガイドローラ１６ａ，１７ａ及び通路側ガイドローラ１６ｂ，１７ｂは、それぞれ、上記ガイド面の上面，下面及び垂直面と接して、上記ガイドレール２を挟持する。通路側サイドローラ１９ｂは、上記壁側サイドローラ１８ａ，１９ａよりも移送方向の水平面に対して所定量上方に位置し、上記通路側サイドローラ１９ｂは上記通路側ガイド面２３の垂直面と、上記壁側サイドローラ１８ａ，１９ａは上記壁側ガイド面２２の垂直面と転接している。
【手続補正６】
【補正対象書類名】明細書
【補正対象項目名】００３０
【補正方法】変更
【補正の内容】
【００３０】
上記フレーム１５の上階側には、図４に示すように、上記昇降体の上階側への移送に際して障害物を検出する障害物検出手段である障害物検出板２５が配置され、該障害物検出板２５は、上部を支点として上記フレーム１５に回動自在に支持される。上記障害物検出板２５は、側面視上記ガイドレール２の上面２ａを頂点として上記フレーム１５に沿うようなアール形状となっており、正面視において、上記壁側フレーム板１５ａと通路側フレーム板１５ｂの間の幅と略々等しい又はそれより広い略々矩形状から上記ガイドレール２の部分を切り欠いた略々Ｌ字状をなしている。上記障害物検出板２５は、上記通路側ガイド面２３に対応する凸部２６を有し、該凸部２６は、上階側の障害物から上階側ローラ対１６の通路側ガイドローラ１６ｂを保護している。
【手続補正７】
【補正対象書類名】明細書
【補正対象項目名】００３２
【補正方法】変更
【補正の内容】
【００３２】
本実施の形態は以上のような構成からなるので、階段昇降機１は、座席５に座って上記肘掛け９に設けたスイッチ１３をオンにすると、モータ等からなる駆動部が回転し、不図示のピニオンに伝達される。そして、該ピニオンがガイドレール２のラックに噛合することにより、昇降体３はガイドレール２に沿って移送される。
【手続補正８】
【補正対象書類名】明細書
【補正対象項目名】００３３
【補正方法】変更
【補正の内容】
【００３３】
この際、昇降体，椅子部，座席５に腰掛けた人の縦荷重は、上記上階側ローラ対１６及び下階側ローラ対１７を介して、上記ガイドレール２に設けられた壁側ガイド面２２の上面及び通路側ガイド面２３の下面に作用するモーメントとして受けられる。また、昇降体３に作用する横荷重は、上記上階側ローラ対１６，下階側ローラ対１７，及びサイドローラ１８ａ，１９ａ，１９ｂを介して、上記ガイド面２２，２３の垂直面に受けられる。上記横荷重は、サイドローラ１８ａ，１９ａ，１９ｂのみによってだけではなく、上記ガイドレール２のガイド面２２，２３に嵌入される上記上階側ローラ対１６及び下階側ローラ対１７にも作用するので、上階側ローラ対１６の通路側ガイドローラ１６ｂの前方にはサイドローラを配置しなくても足りる。
【手続補正９】
【補正対象書類名】明細書
【補正対象項目名】００３５
【補正方法】変更
【補正の内容】
【００３５】
上記上階側ローラ対１６の通路側ガイドローラ１６ｂが壁側ガイドローラ１６ａに対して所定量Ａ上方に配置されていること、上記上階側の通路側サイドローラ（図１２の１１８ｂ参照）が省かれていることが相俟って、フレーム１５の通路側フレーム板１５ｂの下方が短く形成されている。これにより、上記障害物検出板２５は、通路側フレーム板１５ｂと干渉することなく、その下部が下階側に後退して延出される。よって、図６に示すように、側面視において、上記壁側フレーム板１５ａよりも上記障害物検出板２５が下階側に削減量Ｐだけ階段１段目Ｓ１へのかかり代を削減することができ、本階段昇降機１を適用し得る階段を拡大することができる。
【手続補正１０】
【補正対象書類名】図面
【補正対象項目名】図４
【補正方法】変更
【補正の内容】
【図４】
2013023295.tif 000001